(57)【要約】【課題】  既存のアナログ方式の記録装置を活用することができ、コスト削減及びアナログ・デジタル混合記録の性能向上を図ることができる記録装置を提供する。【解決手段】  フレームスイッチャ１０８は、アナログ信号入力インターフェース１０３からの信号とクロックとの同期をとる。エンコーダ１１１は、フレームスイッチャ１０８からの信号をデジタル信号に変換する。変換されたデジタル信号及びデジタル信号入力インターフェース１０７からのデジタル信号は、記録媒体インターフェース回路１１５を通じて記録媒体１１６，１１７に転送されてデジタル記録される。アナログ信号は表示器用回路１２０で処理されアナログ表示され、デジタル信号はデコーダ１１８でデコードされる際にデコード用メモリ１１９で一時的にバッファリングされ、アナログカメラからの信号よりも遅れて表示される。【選択図】        図１
2006147114.tif 000002
【特許請求の範囲】
【請求項１】
アナログ信号を入力可能な一つ以上のアナログ信号入力インターフェースと、
デジタル信号を入力可能な一つ以上のデジタル信号入力インターフェースと、
前記アナログ信号入力インターフェースからの信号と基準クロックとの同期を取る一つ以上のフレームスイッチャと、
前記フレームスイッチャからの前記アナログ信号をデジタル信号に変換する一つ以上のエンコーダと、
前記エンコーダで変換された前記デジタル信号又は前記デジタル信号入力インターフェースからの前記デジタル信号を記録媒体に転送する記録媒体インターフェース回路と、
前記記録媒体インターフェース回路に入出力可能に接続されているデジタル形式の記録媒体と、
前記デジタル信号入力インターフェースからの前記デジタル信号又は前記記録媒体インターフェース回路を通じての前記デジタル信号をアナログ信号にデコードする一つ以上のデコーダと、
前記フレームスイッチャからの前記アナログ信号及び前記デコーダによって前記デジタル信号から変換されたアナログ信号を表示器に表示するための表示用回路と、
前記デジタル信号入力インターフェースに加えて前記フレームスイッチャ、前記エンコーダ、前記デコーダ及び前記表示用回路に前記基準クロックを供給して互いに同期を取るクロック発生回路と
を備えることから成る記録装置。
【請求項２】
前記デコーダとの間で入出力可能に接続されており、前記デコーダに転送された前記デジタル信号を一時的にバッファリング可能なバッファ用メモリを更に備えていることから成る請求項１に記載の記録装置。
【請求項３】
前記表示用回路との間で入出力可能に接続されており、前記表示用回路に入力される前記アナログ信号を一時的にバッファリング可能な表示用メモリを更に備えていることから成る請求項１に記載の記録装置。
【請求項４】
前記アナログ信号入力インターフェースからの前記アナログ信号と前記デジタル信号入力インターフェースからの前記デジタル信号とを、前記記録媒体に個別又は同時に記録可能であることから成る請求項１〜３のいずれか１項に記載の記録装置。
【請求項５】
前記記録媒体に記録された一つ以上の入力からの信号を同時再生可能であることから成る請求項４に記載の記録装置。
【請求項６】
前記アナログ信号入力インターフェースにはアナログ出力カメラが接続可能であり、前記デジタル信号入力インターフェースには、デジタル出力カメラが直接又はＬＡＮを通じて接続可能であることから成る請求項１〜５のいずれか１項に記載の記録装置。
【発明の詳細な説明】
【技術分野】
【０００１】
本発明は、入力インターフェースを通じて入力される信号が、アナログ信号、デジタル信号とのいずれの信号であってもこれを処理してデジタル形式で記録可能な記録装置に関する。
【背景技術】
【０００２】
従来、監視カメラ等の分野においても画像記録装置のデジタル化が進み、従来、タイムラプスレコーダ等、カメラからの信号を非圧縮のアナログ信号で記録装置に伝送し、アナログ信号のまま記録媒体に記録する方式の記録装置が用いられてきた。これに対して、近年、カメラからの信号をデジタル信号で記録装置まで伝送し、デジタル信号のまま記録媒体に記録するフルデジタル方式の記録装置が開発され、一般的になりつつある。
【０００３】
長時間録画と異常時の情報量優先の録画を両立可能な記録装置として、例えば、撮影した映像信号をＭＰＥＧ圧縮しデジタル映像データとして出力する複数のカメラと、この複数のカメラから出力されたデジタル映像データを伝送する伝送手段と、当該デジタル映像データを表示する表示手段と、侵入物又は侵入者の有無を検出する検出手段と、検出手段の検出結果に応じてデジタル映像データのピクチャ構成を変更可能な可変圧縮手段と、可変圧縮手段から出力された映像データを記録媒体に記録する記録手段とを備えている監視カメラシステムが提案されている（特許文献１）。
【０００４】
このようなデジタル方式の記録装置を用いる場合、一台又は複数台のデジタル出力を備えたカメラを設置し、デジタル信号伝送用のネットワークを構築し、これらのデジタルデータを記録装置に記録することになる。こうしたデジタル記録が可能になるため、モニタ画質を保持しながら初期の目的を達成することができるが、一方で、システム構成が複雑化し、システムコストが増加している。更に、フルデジタル方式の記録装置の場合、アナログ方式カメラからのアナログ信号を直接入力することができないため、既存のアナログカメラ等を直接には記録装置に接続することができない。
【特許文献１】特開２００２−２６２２７２号公報（段落［００１１］〜［００１６］、図１）
【発明の開示】
【発明が解決しようとする課題】
【０００５】
そこで、アナログ記録システムが既存である場合等において、デジタル記録のシステムを付け加える態様で統合化でき、更に、アナログ信号の表示器への表示に加えてデジタルの入力信号を同時に表示することを可能にする点で解決すべき課題がある。
【０００６】
本発明の目的は、以上の点を考慮し、既存のアナログ方式の記録装置を活用してデジタル記録のシステムを付加させることが可能であり、その際にコスト上昇の抑制及びアナログ・デジタル混合記録の性能向上を図ることができる記録装置を提供することである。
【課題を解決するための手段】
【０００７】
上記目的を達成するため、この発明による記録装置は、アナログ信号を入力可能な一つ以上のアナログ信号入力インターフェースと、デジタル信号を入力可能な一つ以上のデジタル信号入力インターフェースと、前記アナログ信号入力インターフェースからの信号と基準クロックとの同期を取る一つ以上のフレームスイッチャと、前記フレームスイッチャからの前記アナログ信号をデジタル信号に変換する一つ以上のエンコーダと、前記エンコーダで変換された前記デジタル信号又は前記デジタル信号入力インターフェースからの前記デジタル信号を記録媒体に転送する記録媒体インターフェース回路と、前記記録媒体インターフェース回路に入出力可能に接続されているデジタル形式の記録媒体と、前記デジタル信号入力インターフェースからの前記デジタル信号又は前記記録媒体インターフェース回路を通じての前記デジタル信号をアナログ信号にデコードする一つ以上のデコーダと、前フレームスイッチャからの前記アナログ信号及び前記デコーダによって前記デジタル信号から変換されたアナログ信号を表示器に表示するための表示用回路と、前記デジタル信号入力インターフェースに加えて前記フレームスイッチャ、前記エンコーダ、前記デコーダ及び前記表示用回路に前記基準クロックを供給して互いに同期を取るクロック発生回路とを備えている。
【０００８】
この記録装置によれば、アナログ信号入力インターフェースから入力されたアナログ信号は、フレームスイッチャによって基準クロックとの同期が取られた後に、エンコーダに入力されてデジタル信号に変換される。エンコーダによって変換されたデジタル信号は、記録媒体インターフェース回路を通じて記録媒体にデジタル形式にて記録される。フレームスイッチャによって基準クロックとの同期が取られたアナログ信号は、表示用回路に直接に入力されてモニタ等の表示器に表示される。一方、デジタル信号入力インターフェースから入力されたデジタル信号は、記録媒体インターフェース回路を通じて記録媒体にデジタル形式にて記録される。また、デジタル信号入力インターフェースから入力されたデジタル信号又は記録媒体から記録媒体インターフェース回路を通じて再生されたデジタル信号はデコーダを通じてアナログ化され、表示用回路に入力されて表示器に表示される。クロック発生回路は、フレームスイッチャに加えて、エンコーダ、デコーダ及び表示用回路に基準クロックを供給してこれらの間で互いに同期を取る。
【０００９】
この記録装置において、デコーダとの間で入出力可能に接続されており、デコーダに転送されたデジタル信号を一時的にバッファリング可能なバッファ用メモリを更に備えることができる。バッファ用メモリを備えることにより、デジタル信号入力インターフェースからの信号をデコーダでデコードする際にバッファ用メモリで一時的にバッファリングすることができる。デジタル信号がＬＡＮ等を経由して伝送され、ジッタ等を原因としたデータのオーバーフローやアンダーフローが生じた際、デジタル信号入力インターフェースから入力されたデジタル信号を、バッファ用メモリで一時的にバッファリングすることで、アナログ信号入力インターフェースから入力されたアナログ信号よりも遅らせて表示することにより、モニタ表示画面が静止することを防止している。
【００１０】
この記録装置において、表示用回路との間で入出力可能に接続されており、表示用回路に入力されるアナログ信号を一時的にバッファリング可能な表示用メモリを更に備えることができる。デジタル信号処理ではデジタル処理に伴う遅延時間が生じるのが避けられないが、表示用回路に接続されている表示用メモリにアナログ信号入力インターフェースからのアナログ信号を一時的にバッファリングすることにより、アナログ信号の表示のタイミングを遅らせることで、デジタル信号入力用インターフェースからの遅延しているデジタル信号の表示タイミングに合わせて表示することで、両信号の表示器への同時表示の際に同じタイミングで表示させることができ、タイミングのずれに起因して覚えることがある違和感を防止することができる。
【００１１】
この記録装置において、記録媒体インターフェース回路に接続される内蔵又は外付けの記録媒体には、アナログ信号入力インターフェースからのアナログ信号とデジタル信号入力インターフェースからのデジタル信号とを、個別又は同時に記録可能とすることができる。この構成によって、アナログ・デジタルの複式の信号を個別に又は同時に記録することができ、融通性のある記録装置が得られる。同時に記録する場合、両信号は、タイムコードを付す等によって同期を取って記録することが好ましい。
【００１２】
両形式の信号を個別又は同時に記録可能な上記記録装置において、記録媒体に記録された一つ以上の入力からの信号を同時再生可能である。記録媒体に記録された一つ以上の入力からの信号を同時再生することにより、信号のソースの種類や態様に応じて、複数チャンネルを通じて同時に表示される再生画面を利用することができる。
【００１３】
上記記録装置において、アナログ信号入力インターフェースにはアナログ出力カメラが接続可能であり、デジタル信号入力インターフェースには、デジタル出力カメラが直接又はＬＡＮを通じて接続可能とすることができる。各インターフェースには、その扱われる信号の形式に応じたカメラを接続することで、例えば、アナログとデジタルの２種類の信号による監視カメラシステムに適用することができる。アナログ出力カメラの監視システムは既存のものにもあるが、この既存システムを利用して、構成の変更を可及的に少なく済む態様で、デジタル出力カメラの接続も可能にした記録装置を得ることができる。
【発明の効果】
【００１４】
本発明の記録装置によれば、アナログ信号入力インターフェースから入力されたアナログ信号は、エンコーダによってデジタル信号に変換した後、記録媒体インターフェース回路を通じて記録媒体にデジタル形式にて記録され、デジタル信号入力インターフェースから入力されたデジタル信号は、記録媒体インターフェース回路を通じて記録媒体にデジタル形式にて記録される。また、フレームスイッチャによって基準クロックとの同期が取られたアナログ信号は、表示用回路に直接に入力されて、既存のアナログ表示器がある場合はそのアナログ表示器に表示され、デジタル信号入力インターフェースから入力されたデジタル信号又は記録媒体から記録媒体インターフェース回路を通じて再生されたデジタル信号はデコーダを通じてアナログ化された上で、表示用回路に入力されて同じ表示器を利用して表示される。クロック発生回路は、フレームスイッチャに加えて、エンコーダ、デコーダ及び表示用回路に基準クロックを供給してこれらの間で互いに同期を取っているので、信号の同期ずれは生じない。このように、アナログデジタルコンバータ等の設置のための電源や設備等の変更なしで既存のアナログ入力が利用でき、既存のアナログ方式の表示器を備えた記録装置を活用することができ、コストの上昇の抑制及びアナログ・デジタル混合記録の性能向上を得ることができる。また、入力されるアナログ信号とデジタル信号をリアルタイム表示した際や再生を行ったときに、アナログとデジタルの画像表示タイミングが同時に行うことができる。
【発明を実施するための最良の形態】
【００１５】
以下、図面を参照して、この発明による記録装置の実施例を説明する。
【実施例１】
【００１６】
図１は、本発明の第１の実施形態を示す記録装置のブロック図である。図１において、アナログ信号を出力する複数のアナログ出力カメラ１０１，１０２から入力された非圧縮のアナログ信号は、アナログ信号入力インターフェース１０３を通じて記録装置１２１に入力される。クロック発生回路１１４については後述するが、アナログ出力カメラ１０１，１０２は記録装置１２１とそれぞれ非同期で動作している。そのため、入力されたアナログ信号はフレームスイッチャ１０８，１０９…１１０、本実施例１では１０８に入力され、フレームスイッチャ１０８によって信号と記録装置１２１の同期合わせを行う。デジタル出力カメラ１０４，１０５は、内蔵するエンコーダが記録装置１２１と同期済みであり、撮像したデータには時刻情報を付加させることができる。
【００１７】
取り込まれた非圧縮のアナログ信号はフレームスイッチャ１０８よりエンコーダ１１１，１１２…１１３、本実施例１ではエンコーダ１１１に入力されてデジタル圧縮され、そのデジタル圧縮信号はＨＤＤ等の記録媒体に記録するための記録媒体インターフェース回路（以下、記録媒体Ｉ／Ｆ回路という）１１５に入力される。アナログ出力カメラ１０１，１０２から出力されデジタル圧縮信号に変換された信号は、記録媒体Ｉ／Ｆ回路１１５によってＨＤＤ等の記録媒体１１６，１１７に記録される。また、フレームスイッチャ１０８からの信号は、リアルタイムでモニタ等に表示するために表示用回路１２０へも入力される。
【００１８】
次に、複数のデジタル出力カメラ１０４，１０５から出力されたデジタル圧縮信号は、ＬＡＮ１０６を経由してデジタル信号入力インターフェース１０７を通じて記録装置１２１に入力される。記録装置１２１に入力されたデジタル圧縮信号は、以下アナログ信号と同様に記録媒体Ｉ／Ｆ回路１１５に入力され、ＨＤＤ等の記録媒体１１６，１１７に記録される。デジタル信号入力インターフェース１０７は、デジタ出力ルカメラ１０４，１０５との間でクロックを同期させるためのインターフェース機能を備えている。
【００１９】
デジタル信号入力インターフェース１０７に入力された信号もまた、リアルタイムでモニタ等に表示するために、記録媒体Ｉ／Ｆ回路１１５を経由、或いは直接にデコーダ１１８に入力され、デコードされた信号が表示用回路１２０に入力される。
【００２０】
デジタル出力カメラからの信号に対しては、ＬＡＮ１０６経由時のジッタ等を原因としてデータのオーバーフローやアンダーフローが発生する可能性がある。データのオーバーフローやアンダーフローが発生するとモニタの表示画面が静止してしまうので、デコード用メモリ１１９を用いてデータのバッファリングを行い、常にアナログ出力カメラ１０１，１０２の表示よりも遅れたデータを表示することで、モニタ表示画面が静止することを防止している。
【００２１】
ＨＤＤ等の記録媒体１１６，１１７に記録された信号は、記録媒体Ｉ／Ｆ回路１１５を介して読み出され、デジタル圧縮信号はデコーダ１１８によって伸張され、非圧縮信号に変換される。この信号は、表示用回路１２０を通じて外部のモニタ等に出力される。更にデジタル出力カメラ１０４，１０５と記録装置１２１の同期は同じであるので、デジタル出力カメラ１０４，１０５でデジタル圧縮された信号と、フレームスイッチャ１０８で同期合わせを行った信号を記録装置１２１のエンコーダ１１１でデジタル圧縮した信号とは、互いに同期している。そのため、再生時は、アナログ出力カメラ１０１，１０２とデジタル出力カメラ１０４，１０５の複数チャンネル再生時にも正しく同期を取ることができる。
【００２２】
次にクロック発生回路１１４の出力は記録装置１２１のフレームスイッチャ１０８，１０９…１１０と、エンコーダ１１１，１１２…１１３と、デコーダ１１８と、表示用回路１０２と、ＬＡＮ１０６を経由してデジタル出力カメラ１０４，１０５とに接続されており、これらの回路は記録装置１２１内のクロック発生回路１１４が発生する同期に従って動作している。しかしながら、アナログ出力カメラ１０１，１０２はクロック発生回路１１４のクロックとは非同期で動作している。そのため、記録装置１２１にはフレームスイッチャ１０８，１０９…１１０を設け、アナログ出力カメラ１０１，１０２から入力した信号と、記録装置１２１の同期合わせを行っている。
【００２３】
次に、図１に示す第１の実施形態において、撮像画面をリアルタイムでモニタへ表示する際の時間遅延の例を図２に、またそのときのタイミングチャートを図３に示す。
【００２４】
図２に示すように、アナログ出力カメラ２０１とデジタル出力カメラ２０２によって撮像された被写体２０３〜２０６の画像は、記録装置２０７を通じてモニタ２０８に表示される。例えば、モニタは４分割画面を表示しているとし、アナログ出力カメラ２０１からの画像はモニタの左上２０９に表示されるとする。またデジタル出力カメラ２０２からの画像はモニタの左下２１０に表示されるとする。この二つのカメラ２０１，２０２に同じ時刻２０４，２０６を表示している対象物２０３，２０５を撮像させ、アナログ出力カメラ２０１とデジタル出力カメラ２０２の映像がどのように遅延するかを示す。このような状況で時計等を撮像した場合、モニタ２０８に表示されるそれぞれの時刻は、アナログ出力カメラ２０１の画像は１２時００分１０秒、デジタル出力カメラ２０２の画像は１２時００分０８秒というように表示されたとする。この表示結果からすると、デジタル出力カメラ２０２の信号が、アナログ出力カメラ２０１の信号よりも２秒遅延されてモニタ２０８に表示されたということになる。
【００２５】
図３には、図２に示す時間遅延の現象が生じている時のアナログ出力カメラ２０１とデジタル出力カメラ２０２のタイミングチャートが示されている。まず、アナログ出力カメラ２０１とデジタル出力カメラ２０２の撮像タイミング３０１，３０２は同時であり、次にアナログ出力カメラ２０１の表示タイミングは、フレームスイッチャ１０８によって記録装置２０７（図１では、記録装置１２１に相当する）内のクロック（クロック発生回路１１４のクロック）に同期を合わせるため１フィールド遅延させたと仮定すると、モニタ２０８に表示されるタイミングはほぼ撮像タイミングより１フィールド遅延したタイミング３０５となる。一方でデジタル出力カメラ２０２によって撮像した信号は、デジタル出力カメラ２０２において当該カメラデジタル圧縮信号にエンコードされ、その圧縮はタイミング３０３で行われたとする。圧縮された信号は、ＬＡＮを経由して記録装置２０７に伝送され、モニタ表示を行うためにデコーダ１１８によってデコードされる。このデコードされた信号は、ＬＡＮのジッタ等による信号のオーバー／アンダーフロー防止のためのバッファリング（デコード用メモリ１１９を利用）と、ＬＡＮの遅延とを合わせることでデコードのタイミングが２秒間遅延したとすると、表示タイミング３０６となる。その結果、デジタル出力カメラ２０２の画像２１０は、アナログ出力カメラ２０１の表示タイミング３０５よりも、２秒間遅延してタイミング３０６でモニタ２０８に表示される。
【実施例２】
【００２６】
図４は、本発明による記録装置の第２の実施形態として、アナログカメラからの信号を遅延させてデジタルカメラからの信号と同じタイミングで表示処理をする例を示した図である。即ち、記録装置４２２に入力されたアナログ出力カメラ４０１，４０２からの信号と、デジタル出力カメラ４０４，４０５からの信号を、リアルタイムでモニタ等に表示する際、アナログ出力カメラ４０１，４０２からの信号を表示用メモリ４２１によるバッファリングを行うことで、デジタル出力カメラ４０４，４０５と同じタイミングで表示処理させている。第２の実施形態においては、第一の実施形態と同等の要素には、１００番台の符号に代えて４００番台の符号を用いており、以下、特に言及する以外、再度の説明を省略する。
【００２７】
第２の実施形態において、アナログ出力カメラ４０１，４０２からの信号と、デジタル出力カメラ４０４，４０５からの信号とを記録装置４２２に入力し、これらの信号をリアルタイムでモニタ等に表示する。このとき、デジタル出力カメラ４０４，４０５からの信号は、データのアンダーフローやオーバーフローを防止するためにデコード用メモリ４１９を利用して信号をバッファリングしているので、表示タイミングが遅れている。そのため、第２の実施形態においては、アナログ出力カメラ４０１，４０２からの信号を表示系回路等に設けた表示用メモリ４２１でバッファリングを行うことによって、アナログ出力カメラ４０１，４０２の信号とデジタル出力カメラ４０４，４０５の信号とのモニタへの表示タイミングを合わせている。
【００２８】
次に、図４に示す第２の実施形態において、撮像画面をリアルタイムでモニタへ表示する際の時間遅延の例を図５に、またそのタイミングチャートを図６に示す。第２の実施形態においては、第１の実施例と同様、図５に示すように、アナログ出力カメラ５０１とデジタル出力カメラ５０２によって撮像された被写体５０３〜５０６の画像は、記録装置５０７（図４では、記録装置４２２に相当する）を通じてモニタ５０８に表示される。アナログ出力カメラ５０１からの画像は、モニタの左上５０９に表示されるとする。また、デジタル出力カメラ５０２からの画像は、モニタの左下５１０に表示されるとする。図５と同様、時計等の対象物５０４，５０６を撮像した場合、本実施例ではアナログ出力カメラ５０１からの信号を表示用メモリ４２１（図１）によるバッファリングを行うことで、モニタに表示されるそれぞれの時刻は、アナログ出力カメラ５０１の画像は１２時００分０８秒、デジタル出力カメラ５０２の画像も１２時００分０８秒というように表示される。第２の実施形態では、このように、デジタル出力カメラ５０２の信号遅延に合わせて、アナログ出力カメラ５０１の信号も遅延させてモニタ等に表示させている。
【００２９】
このときのアナログ出力カメラ５０１とデジタル出力カメラ５０２のタイミングチャートが、図６に示されている。図４と同様に、まずアナログ出力カメラ５０１とデジタル出力カメラ５０２の撮像タイミング６０１，６０２は同時であり、アナログ出力カメラ５０１の表示タイミングは、フレームスイッチャ４０８によって記録装置４２２内のクロック（クロック発生回路４１４によるクロック）に同期を合わせるため１フィールド遅延させたと仮定し、更にデジタル出力カメラ５０２の表示タイミングと同期を合わせるために表示用メモリ４２１を用いてバッファリングを行う。そのため、モニタ表示は表示タイミング６０５となる。一方でデジタル出力カメラ５０２によって撮像した信号６０２は、実施例１と同様、デジタル出力カメラ５０２においてデジタル圧縮信号にエンコードされ、その圧縮はタイミング６０３で行われる。そして、圧縮された信号はＬＡＮ４０６を経由して記録装置４２２に伝送され、モニタ表示を行うためにデコード（デコーダ４１８による。そのタイミングは６０４）されるが、そのデコードされた信号はＬＡＮ４０６のジッタ等による信号のオーバー／アンダーフロー防止のためのバッファリング（デコード用メモリ４１９を用いる）と、ＬＡＮ４０６の遅延とを合わせることで、デコードのタイミングが２秒間遅延したとすると表示タイミング６０６となる。その結果、表示タイミング６０６は、アナログ出力カメラ５０１の表示と同じ表示タイミング６０５でモニタに表示される。
【００３０】
以上のように処理することでアナログ出力カメラ５０１からの信号とデジタル出力カメラ５０２の信号をモニタ表示する際の表示タイミング６０５，６０６を合わせることができ、同じタイミングでカメラのとらえた画像を同じタイミングで表示処理することができる。なお、上記の各実施態様では、各インターフェース、デコーダを一つとして説明したが、複数設けられていても構わないことは明らかである。また、表示器は、複数の表示パネルを並べてもよく、或いは単一の大画面表示を複数の小画面に分割してそれぞれを割り当ててもよいことも明らかである。更に、再生については、一方を速度可変な後追い再生にする、或いは一定時間（直後を含む）を置いた再生も可能である。
【図面の簡単な説明】
【００３１】
【図１】本発明による記録装置の第１の実施形態の構成を示すブロック図。
【図２】本発明におけるアナログ出力カメラ及びデジタル出力カメラのモニタ表示時の遅延状態を示した図。
【図３】本発明におけるアナログ出力カメラ及びデジタル出力カメラのモニタへの表示タイミングチャートを示した図。
【図４】本発明による記録装置の第２の実施形態の構成を示すブロック図。
【図５】本発明におけるアナログ出力カメラ及びデジタル出力カメラのモニタ表示時の遅延状態を示した図。
【図６】本発明におけるアナログ出力カメラ及びデジタル出力カメラのモニタへの表示タイミングチャートを示した図。
【符号の説明】
【００３２】
１０１，１０２  アナログ出力カメラ
１０３          アナログ信号入力インターフェース
１０４，１０５  デジタル出力カメラ
１０６          ＬＡＮ
１０７          デジタル信号入力インターフェース
１０８，１０９，１１０  フレームスイッチャ
１１１，１１２，１１３  エンコーダ
１１４          クロック発生回路
１１５          記録媒体インターフェース回路（記録媒体Ｉ／Ｆ回路）
１１６，１１７  記録媒体
１１８          デコーダ
１１９          デコード用メモリ
１２０          表示用回路
１２１          記録装置
２０１          アナログ出力カメラ
２０２          デジタル出力カメラ
２０３，２０４，２０５，２０６  被写体
２０７          記録装置
２０８          モニタ
２０９          アナログ出力カメラのモニタ表示画面
２１０          デジタル出力カメラのモニタ表示画面
３０１          アナログ出力カメラ撮像タイミング
３０２          デジタル出力カメラ撮像タイミング
３０３          デジタル出力カメラエンコードタイミング
３０４          デジタル出力カメラデコードタイミング
３０５          アナログ出力カメラ表示タイミング
３０６          デジタル出力カメラ表示タイミング
４０１、４０２  アナログ出力カメラ
４０３          アナログ信号入力インターフェース
４０４、４０５  デジタル出力カメラ
４０６          ＬＡＮ
４０７          デジタル信号入力インターフェース
４０８、４０９、４１０  フレームスイッチャ
４１１、４１２、４１３  エンコーダ
４１４          クロック発生回路
４１５          記録媒体インターフェース回路（記録媒体Ｉ／Ｆ回路）
４１６、４１７  記録媒体
４１８          デコーダ
４１９          デコード用メモリ
４２０          表示用回路
４２０          表示用メモリ
４２１          記録装置
５０１          アナログ出力カメラ
５０２          デジタル出力カメラ
５０３，５０４，５０５，５０６  被写体
５０７          記録装置
５０８          モニタ
５０９          アナログ出力カメラのモニタ表示画面
５１０          デジタル出力カメラのモニタ表示画面
６０１          アナログ出力カメラ撮像タイミング
６０２          デジタル出力カメラ撮像タイミング
６０３          デジタル出力カメラエンコードタイミング
６０４          デジタル出力カメラデコードタイミング
６０５          アナログ出力カメラ表示タイミング
６０６          デジタル出力カメラ表示タイミング
【図１】
2006147114.tif 000003
【図２】
2006147114.tif 000004
【図３】
2006147114.tif 000005
【図４】
2006147114.tif 000006
【図５】
2006147114.tif 000007
【図６】
2006147114.tif 000008